(57)【要約】【課題】  遊技盤や遊技盤及び回動扉を支持する支持部材のメンテナンスなどの作業を行う際に、作業を安全かつ効率良く行うことができるようにし、さらに、支持部材の本体基部への位置決めを正確に行う。【解決手段】  軸受け部材５２は、係止部５２ｂを、第１上部軸１６ａの位置決め部１６ｃに係止させて位置決めしてから係止部５２ｂをカシメ加工することによってベース部材５０に取り付けられる。これにより、第１上部軸１６ａが第１上部軸受け１５で保持され、第２上部軸３０ｂが第２上部軸受け１６の軸受け部材５２で保持されると、第１上部軸１６ａと第２上部軸３０ｂとの軸芯が軸方向で同一の位置となる。【選択図】        図１１
2005205092.tif 000002
【特許請求の範囲】
【請求項１】
遊技球が打ち出される遊技領域を有する遊技盤を支持可能な支持部材と、
前記支持部材が取り付けられる本体基部と、
前記本体基部が取り付けられる外枠と、
前記本体基部と前記外枠とを回動自在に軸支する第１軸支機構とを備えた遊技機であって、
前記支持部材を前記本体基部に着脱自在で、かつ回動自在に軸支する第２軸支機構と、
前記支持部材の回動を不能にする第１回動不能機構とを備えたことを特徴とする弾球遊技機。
【請求項２】
前記支持部材に、前記遊技領域を視認可能にする窓部を有する回動扉と、
前記回動扉と前記支持部材とを回動自在に軸支する第３軸支機構と、
前記回動扉の回動を不能にする第２回動不能機構とを設けたことを特徴とする請求項１記載の弾球遊技機。
【請求項３】
前記第１軸支機構を、第１軸と前記第１軸を回動自在に保持する第１軸受けとで構成するとともに、前記第２軸支機構を、第２軸と前記第２軸を着脱自在で、かつ回動自在に保持する第２軸受けとで構成し、前記第２軸受けで前記第２軸を保持したときに、前記第２軸と前記第１軸との軸芯が軸方向で同一の位置となるように前記第１軸を配置したことを特徴とする請求項１又は２記載の弾球遊技機。
【請求項４】
前記第３軸受け機構を、第３軸と前記第３軸を回動自在に保持する前記第３軸受けとから構成し、前記第３軸受けで前記第３軸を保持したときに、前記第３軸と前記第２軸との軸芯が軸方向に同一の位置となるように前記第２軸を配置したことを特徴とする請求項１〜３のいずれかに記載の弾球遊技機。
【請求項５】
前記本体基部に前記第１軸を設けるとともに、前記第１軸受けを前記外枠に設け、かつ、前記支持部材に前記第２軸を設けるとともに、前記第２軸受けを前記本体基部に設け、前記外枠に前記本体基部を取り付けて前記本体基部に前記支持部材を取り付けた場合に、前記第１軸と前記第２軸との軸芯が軸方向に同一の位置となることを特徴とする請求項１〜４のいずれかに記載の弾球遊技機。
【請求項６】
前記回動扉に前記第３軸を設けるとともに、前記支持部材に前記第３軸受けを設け、前記支持部材に前記回動扉を取り付けた場合に、前記第３軸と前記第２軸との軸芯が軸方向に同一の位置となることを特徴とする請求項１〜５のいずれかに記載の弾球遊技機。
【請求項７】
前記第２軸受けは、前記本体基部に前記支持部材を前記第２軸の軸方向と直交する方向に移動させて取り付けたときに、前記第２軸を保持する保持部を備えたことを特徴とする請求項１〜６のいずれかに記載の弾球遊技機。
【発明の詳細な説明】
【技術分野】
【０００１】
本発明は、パチンコ店等の遊技場に設置して使用されるパチンコ機などの弾球遊技機に関するものである。
【背景技術】
【０００２】
本明細書中では、遊技球としてパチンコ球、また、遊技盤面に設けられた入賞口にパチンコ球が入ることを入賞とする。
【０００３】
弾球遊技機の一つであるパチンコ機では、パチンコ球を打ち出すことが可能な範囲を区画する遊技領域を有する遊技盤が本体基部に着脱自在に取り付けられ、さらに、本体基部が外枠に着脱自在に取り付けられている。また、遊技領域を透視可能にする窓部を有する回動扉が回動自在に取り付けられている。本体基部又は遊技盤には、遊技の際に作動される駆動装置の作動を制御する作動制御装置やパチンコ球の球通路などが取り付けられている。遊技の際には、遊技者が操作ハンドルを操作すると、操作ハンドルの操作量に応じて本体基部に設けられているパチンコ球発射装置からパチンコ球が遊技盤領域に打ち出される。設置されているパチンコ機を遊技性の異なるパチンコ機へ交換する場合には、新たな機種のパチンコ機と設置されているパチンコ機とを一括して交換するか、又は、本体基部を据え置きとして遊技盤と遊技盤に取り付けられている部品のみを交換する。
【発明の開示】
【発明が解決しようとする課題】
【０００４】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくい。さらに、遊技盤のデザインと外観のデザインに統一感がなくなる。
【０００５】
このため、本体基部に遊技盤及び回動扉を支持可能な支持部材を着脱自在に取り付け、機種交換の際に遊技盤及び窓部とともに支持部材を交換可能とすることによって、本体基部を据え置きとした際に共通部品のリユースを可能にしながら、パチンコ機の外観のイメージに変化を加えることが検討されている。
【０００６】
しかしながら、例えば遊技盤や支持部材のメンテナンスなどの作業を行う際には支持部材を本体基部から取り外す必要があるが、支持部材には、遊技盤、回動扉、作動制御装置、球通路などの重量が加わるため、作業者一人で支持部材の本体基部からの取り外し、支持部材の本体基部への取り付け、支持部材の持ち運びなどの作業を行うと、作業者への負担が大きくなり、その重量も重くなるため、支持部材を落下させてしまうおそれがある。このことが、支持部材や遊技盤や窓部などの破損の原因や作業者の怪我の原因、作業の効率が低下する原因となることが考えられる。
【０００７】
また、遊技盤を支持部材に取り付ける場合、支持部材と本体基部との位置決めを正確に行わないと、パチンコ球発射装置と遊技盤との相対的な位置のズレが大きくなってしまうため、パチンコ球発射装置から発射されたパチンコ球が設計時に計算された位置とは異なる位置に打ち出されてしまい、入賞口へのパチンコ球の入賞率が設計時に計算された入賞率とは大きく異なってしまうおそれがある。
【０００８】
本発明は、上記課題を解決するためになされたもので、遊技盤や遊技盤及び回動扉を支持する支持部材のメンテナンスなどの作業を行う際に、作業を安全かつ効率良く行うことができるようにし、さらに、支持部材の本体基部への位置決めを正確に行うことができるようにした弾球遊技機を提供することを目的とする。
【課題を解決するための手段】
【０００９】
本発明の弾球遊技機は、遊技球が打ち出される遊技領域を有する遊技盤を支持可能な支持部材と、前記支持部材が取り付けられる本体基部と、前記本体基部が取り付けられる外枠と、前記本体基部と前記外枠とを回動自在に軸支する第１軸支機構とを備えた遊技機であって、前記支持部材を前記本体基部に着脱自在で、かつ回動自在に軸支する第２軸支機構と、前記支持部材の回動を不能にする第１回動不能機構とを備えたものである。
【００１０】
また、前記支持部材に、前記遊技領域を視認可能にする窓部を有する回動扉と、前記回動扉と前記支持部材とを回動自在に軸支する第３軸支機構と、前記回動扉の回動を不能にする第２回動不能機構とを設けることが好ましい。
【００１１】
また、前記第１軸支機構を、第１軸と前記第１軸を回動自在に保持する第１軸受けとで構成するとともに、前記第２軸支機構を、第２軸と前記第２軸を着脱自在で、かつ回動自在に保持する第２軸受けとで構成し、前記第２軸受けで前記第２軸を保持したときに、前記第２軸と前記第１軸との軸芯が軸方向で同一の位置となるように前記第１軸を配置することが好ましい。
【００１２】
また、前記第３軸受け機構を、第３軸と前記第３軸を回動自在に保持する前記第３軸受けとから構成し、前記第３軸受けで前記第３軸を保持したときに、前記第３軸と前記第２軸との軸芯が軸方向に同一の位置となるように前記第２軸を配置することが好ましい。
【００１３】
また、前記本体基部に前記第１軸を設けるとともに、前記第１軸受けを前記外枠に設け、かつ、前記支持部材に前記第２軸を設けるとともに、前記第２軸受けを前記本体基部に設け、前記外枠に前記本体基部を取り付けて前記本体基部に前記支持部材を取り付けた場合に、前記第１軸と前記第２軸との軸芯が軸方向に同一の位置となることが好ましい。
【００１４】
また、前記回動扉に前記第３軸を設けるとともに、前記支持部材に前記第３軸受けを設け、前記支持部材に前記回動扉を取り付けた場合に、前記第３軸と前記第２軸との軸芯が軸方向に同一の位置となることが好ましい。
【００１５】
また、前記第２軸受けは、前記本体基部に前記支持部材を前記第２軸の軸方向と直交する方向に移動させて取り付けたときに、前記第２軸を保持する保持部を備えることが好ましい。
【発明の効果】
【００１６】
本発明の弾球遊技機は、遊技球が打ち出される遊技領域を有する遊技盤を支持可能な支持部材と、前記支持部材が取り付けられる本体基部と、前記本体基部が取り付けられる外枠と、前記本体基部と前記外枠とを回動自在に軸支する第１軸支機構とを備えた遊技機であって、前記支持部材を前記本体基部に着脱自在で、かつ回動自在に軸支する第２軸支機構と、前記支持部材の回動を不能にする第１回動不能機構とを備えたので、遊技盤や回動扉を支持する支持部材の修理や点検などの作業を行う際に、支持部材を本体基部から取り外さなくても作業を行うことが可能になり、作業を安全かつ効率良く行うことができる。また、支持部材を本体基部から取り外す際に支持部材の落下を防ぐための仮止めを行う必要がなくなるため、仮止めに用いられる部品の削減を行うことができる。
【００１７】
また、前記支持部材に、前記遊技領域を視認可能にする窓部を有する回動扉と、前記回動扉と前記支持部材とを回動自在に軸支する第３軸支機構と、前記回動扉の回動を不能にする第２回動不能機構とを設けたので、支持部材を本体基部から取り外す際に、支持部材と回動扉を一体にして取り外すことが可能になり、作業を安全かつ効率良く行うことができる。
【００１８】
また、前記第１軸支機構を、第１軸と前記第１軸を回動自在に保持する第１軸受けとで構成するとともに、前記第２軸支機構を、第２軸と前記第２軸を着脱自在で、かつ回動自在に保持する第２軸受けとで構成し、前記第２軸受けで前記第２軸を保持したときに、前記第２軸と前記第１軸との軸芯が軸方向で同一の位置となるように前記第１軸を配置したので、本体基部と支持部材との位置決めを正確に行うことが可能になり、パチンコ球発射装置と遊技盤との相対的な位置のズレを抑えて、パチンコ球発射装置から発射されたパチンコ球が設計時に計算された位置とは異なる位置に打ち出されてしまうことを防止できる。これにより、入賞口へのパチンコ球の入賞率が設計時に計算された入賞率とは大きく異なってしまうことがなくなる。
【００１９】
また、前記第３軸受け機構を、第３軸と前記第３軸を回動自在に保持する前記第３軸受けとから構成し、前記第３軸受けで前記第３軸を保持したときに、前記第３軸と前記第２軸との軸芯が軸方向に同一の位置となるように前記第２軸を配置したので、支持部材と本体基部と回動扉との位置決めを正確に行うことが可能になり、パチンコ球発射装置と遊技盤との相対的な位置のズレを抑えて、パチンコ球発射装置から発射されたパチンコ球が設計時に計算された位置とは異なる位置に打ち出されてしまうことを防止するとともに、回動扉の窓部を正確な位置に位置決めして遊技領域の設計時に計算された位置を視認可能とすることができる。
【００２０】
また、前記本体基部に前記第１軸を設けるとともに、前記第１軸受けを前記外枠に設け、かつ、前記支持部材に前記第２軸を設けるとともに、前記第２軸受けを前記本体基部に設け、前記外枠に前記本体基部を取り付けて前記本体基部に前記支持部材を取り付けた場合に、前記第１軸と前記第２軸との軸芯が軸方向に同一の位置となるので、第１軸と第２軸との相対的な位置決めを行うことが容易になり、本体基部への支持部材の取り付けの作業の効率を向上させることができる。
【００２１】
また、前記回動扉に前記第３軸を設けるとともに、前記支持部材に前記第３軸受けを設け、前記支持部材に前記回動扉を取り付けた場合に、前記第３軸と前記第２軸との軸芯が軸方向に同一の位置となるので、前記第２軸と前記第３軸との軸芯が軸方向に同一の位置となるので、第１軸と第２軸との相対的な位置決めを行うことが容易になり、支持部材への回動扉の取り付けの作業の効率を向上させることができる。
【００２２】
また、前記第２軸受けは、前記本体基部に前記支持部材を前記第２軸の軸方向と直交する方向に移動させて取り付けたときに、前記第２軸を保持する保持部を備えたので、第２軸を容易に第２軸受けに取り付けることができ、本体基部への支持部材の取り付けの作業の効率を向上させることができる。
【発明を実施するための最良の形態】
【００２３】
図１及び図２に示すように、パチンコ機１０は、外枠１１、本体基部１２、遊技盤１３、ガラス枠ユニット１４から構成されている。外枠１１は遊技場の設置箇所に固定される。本体基部１２は、外枠１１に着脱自在で、かつ、第１上部軸受け１５を介して回動自在に軸支されている。ガラス枠ユニット１４は本体基部１２に第２上部軸受け１６を介して着脱自在で、かつ、回動自在に軸支されている。
【００２４】
本体基部１２は、上部と下部の２つに区画された矩形の枠形状に形成されており、その下部には下部ユニット１２ａが取り付けられている。下部ユニット１２ａには、操作ハンドル１２ｂ、後述する受皿２４、パチンコ球発射装置などが設けられている。
【００２５】
遊技盤１３の背面には、メイン制御基盤（メイン制御装置）やサブ制御基盤が設けられている。メイン制御基盤は、機種に応じた遊技の実行処理を行い、さらに、サブ制御基板に対して命令を行うための制御を行う。サブ制御基盤は、図柄表示装置１７の表示制御、ランプ１２ｃの点灯制御、スピーカー１２ｄから出力される音声制御などの各駆動装置の作動を制御する。
【００２６】
遊技盤１３の前面側には遊技領域１３ａが設けられており、この遊技領域１３ａには、図柄表示装置１７、始動入賞口１８、通常入賞口１９、通過入賞口２０、アタッカ２１、アウト口２２が設けられている。図示は省略してあるが、遊技盤１３の遊技領域１３ａにはその他複数の障害釘や風車などが適宜箇所に設けられている。
【００２７】
操作ハンドル１２ｂが操作されると、パチンコ球の発射装置によってパチンコ球が遊技盤１３の遊技領域１３ａに打ち出され、打ち出されたパチンコ球が始動入賞口１８、通常入賞口１９、通過入賞口２０、アウト口２２のいずれかに入る。始動入賞口１８にパチンコ球が入賞すると当たり又はハズレを決定する抽選が行われるとともに図柄表示装置１７が作動される。図柄表示装置１７では、図柄の可変表示及び抽選の結果に応じた演出処理などが行われる。そして、図柄が停止表示されたときに、予め定められた図柄の組み合わせが表示されていると当たりとなり、通常状態から遊技者にとって有利となる当たり状態へと所定期間移行される。
【００２８】
当たり状態となると、アタッカ２１が、一回につき、その奥に設けられている大入賞口を所定時間又はパチンコ球が所定個数入賞するまで開放するように回動され、これが所定回数繰り返される。始動入賞口１８、通常入賞口１９、大入賞口にパチンコ球が入賞すると、入賞した入賞口の種類に応じて所定個数のパチンコ球が払い出し口２３から受皿２４に払い出される。一方、始動入賞口１８、通常入賞口１９、大入賞口に入賞しなかったパチンコ球はアウト口２２に入ってハズレ球として回収される。
【００２９】
図３に示すように、ガラス枠ユニット１４は、支持部材３０と窓部（回動扉）３１とを備えている。支持部材３０は矩形の枠形状に形成されている。支持部材３０は、遊技盤１３及び窓部３１を支持可能な構造となっている。支持部材３０は、その前面側から遊技盤１３が着脱自在に取り付けられる。
【００３０】
図４に示すように、窓部３１は略矩形の枠形状に形成されている。窓部３１の上面で正面から向かって左方の角部には、上方に向けて突出した第３上部軸３１ａが設けられている。また、支持部材３０の内壁のうちの下面で、正面から向かって左方の角部には上方に向けて突出した第３下部軸３０ａが設けられている。窓部３１は、第３上部軸３１ａと第３下部軸３０ａによって、支持部材３０に対して回動自在で、かつ着脱自在に軸支されている。窓部３１を回転させると、支持部材３０の前面側を開閉することが可能になる。窓部３１の前面には、ランプ１２ｃやスピーカー１２ｄなどが取り付けられている。
【００３１】
また、支持部材３０の上面で正面から向かって左方の角部には、詳しくは後述する第３上部軸受け３２が設けられている。第３上部軸受け３２は折り曲げられた板に軸を保持するための部品を取り付けることによって構成されている。そして、第３上部軸受け３２の上面には上方に向けて突出した第２上部軸３０ｂが設けられ、窓部３１の下面の角部には下方に向けて突出した第２下部軸３１ｂ（図１１参照）が設けられている。支持部材３０は、第２上部軸３０ｂ及び第２下部軸３１ｂによって、本体基部１２に対して回動自在で、かつ着脱自在に軸支されている。
【００３２】
窓部３１にはガラス窓３３が取り付けられている。ガラス窓３３は、ガラス枠３３ａとガラス３３ｂとから構成されている。ガラス３３ｂはガラス枠３３ａに嵌め込まれている。ガラス枠３３ａは、窓部３１に対してガラス枠用軸３３ｃを中心に回動自在でかつ着脱自在に取り付けられている。窓部３１は遊技盤１３の前面側に配置されているため、窓部３１が支持部材３０の前面を閉じた状態のとき、ガラス３３ｂを通して遊技盤１３の遊技領域１３ａが透視可能となる。ガラス窓３３が窓部３１のガラス枠用開口３３ｄに嵌め込まれ、窓部３１に設けられた窓止め部材３４がガラス窓３３に係止すると、ガラス窓３３はその回転が不能な状態とされる。なお、ガラス枠３３ａにはガラス３３ｂに限らず、例えば透明な樹脂の板など透明な板であれば適宜の部材を嵌め込むことが好ましい。
【００３３】
図５に示すように、本体基部１２の支持部材３０が収納される一段凹んだ部分で、正面から向かって右側の上下端部には、支持部材３０を本体基部１２に固定するための一対の第１固定部材３５が設けられている。第１固定部材３５は、正面から見た外形が略ひし形形状に形成されており、本体基部１２に回動自在に軸支されて取り付けられている。そして、遊技盤１３が取り付けられていない状態では図に示すように長手方向が垂直に向けられた取り外し位置にセットされている。また、支持部材３０には、支持部材３０が本体基部１２に取り付けられたときに、第１固定部材３５と対面する位置に挿通孔３６が形成されている。挿通孔３６は第１固定部材３５が挿通可能な大きさに形成されており、第１固定部材３５が取り外し位置にセットされた状態で支持部材３０が本体基部１２に取り付けられると、第１固定部材３５が支持部材３０の前面側に回動自在な状態で突出する。
【００３４】
第１固定部材３５が挿通孔３６から突出した状態でその長手方向が水平（挿通孔３６と直交）となるように９０度回転されると、第１固定部材３５は、支持部材３０を本体基部１２から取り外すことが不能になる固定位置にセットされる。第１固定部材３５が固定位置に回動されると、第１固定部材３５が挿通孔３６を通過不能となり、支持部材３０に係止する。これにより、支持部材３０が本体基部１２に固定され、支持部材３０を回動させることが不能な状態となる。このように、第１固定部材３５及び挿通孔３６は第１回動不能機構を構成する。
【００３５】
窓部３１の背面で窓部３１の軸側とは反対側の端部の中央部には、第１固定部材３５と同様の構成の第２固定部材３７が設けられている。また、支持部材３０には、窓部３１が支持部材３０の前面を閉じた状態のとき、第２固定部材３７が挿通される挿通孔３６が形成されている。第２固定部材３７を挿通孔３６に挿通して固定位置にセットすると、窓部３１が支持部材３０に固定され、窓部３１を回動させることが不能な状態となる。このように、第２固定部材３７は挿通孔３６とともに第２回動不能機構を構成する。
【００３６】
図６及び図７に示すように、第１上部軸受け１５にはベース部材４０が設けられており、ベース部材４０には軸受け部材４１、ロック部材４２、トーションバネ４３が組み付けられている。なお、軸受け部材４１及びロック部材４２は保持部を構成する。
【００３７】
ベース部材４０は金属板を折り曲げることによって形成されており、その先端部には下方に突出するとともに円弧状に屈曲した壁４０ａが形成されている。軸受け部材４１はその側壁の一部が壁４０ａの形状に沿った形状となるように形成されており、軸受け部材４１がベース部材４０に組み付けられると、軸受け部材４１は壁４０ａの形状に沿って当接する。
【００３８】
また、軸受け部材４１には、その壁４０ａと当接する部分とは反対側の側壁を円弧状にに切り欠くことによって形成された凹状の受け部（軸受け部）４１ａが設けられている。
【００３９】
第２上部軸受け１６には上方に向けて突出する第１上部軸１６ａが設けられており、図８に示すように、受け部４１ａには第１上部軸１６ａが挿入され、第１上部軸１６ａが第２上部軸受け１６によって軸支される。第１上部軸１６ａは、受け部４１ａの挿入口４１ｂから受け部４１ａ内に挿入される。軸受け部材４１は、ねじ４１ｃによってベース部材４０に組み付けられる。また軸受け部材４１には、後述する支軸４５に軸支されたロック部材４２の後述するストッパ面４２ｄが当接する側壁面４１ｄが形成されている。
【００４０】
ロック部材４２には、ロック部材４２の下面に形成した溝からなるバネ収納部４２ａが設けられている。バネ収納部４２ａにはトーションバネ４３が収納される。トーションバネ４３は、ロック部材４２のバネ収納部４２ａに収納され、トーションバネ４３の一端が、バネ収納部４２ａの側壁面に当接し、他端がベース部材４０に設けられた係止穴４０ｂに挿通される。これによって、ロック部材４２が反時計方向に付勢される。また、バネ収納部４２ａを囲む壁面のうち、ロック部材４２の上面の反対側に位置する面には、ロック部材４２の上面に貫通した開口４２ｂが設けられている。開口４２ｂにはベース部材４０に設けられた支軸４５が上面側から挿通される。
【００４１】
ロック部材４２は、トーションバネ４３の付勢力によって軸受け部材４１の挿入口４１ｂを閉塞する閉塞位置に保持される。ロック部材４２は、本体基部１２を外枠１１に組み付ける際に、第１上部軸１６ａの軸方向と直交する方向（図６に示す矢印Ｘ方向）を外枠１１に向けて移動させたときに、本体基部１２の移動に伴って第１上部軸１６ａに押圧されて図９に示す位置からトーションバネ４３の付勢に抗して図１０に示すように時計回りに回動する。ロック部材４２の回動によって、挿入口４１ｂが開放されるとともに軸受け部材４１とロック部材４２との間に第１上部軸１６ａの挿入経路４４が形成される。
【００４２】
また、ロック部材４２の上面には、ガイド溝４２ｃが形成されている。ガイド溝４２ｃは、ロック部材４２の回動方向に沿った略弓形の長溝に形成されている。ベース部材４０には下方に突出したピン４０ｃが設けられており、ロック部材４２をベース部材４０に組み付けるとピン４０ｃがガイド溝４２ｃに入り込む。ガイド溝４２ｃにピン４０ｃが入り込むこと、ロック部材４２が回動する方向が一定の方向にガイドされ、ロック部材４２の回動範囲が一定範囲に制限される。
【００４３】
また、ロック部材４２の側壁面には、軸受け部材４１の側壁面４１ｄに当接し、ロック部材４２の回動を一方向に制限するストッパ面４２ｄと、軸受け部材４１の受け部４１ａに第１上部軸１６ａを挿入させる際に、第１上部軸１６ａが摺接される摺接面４２ｅが設けられている。
【００４４】
支軸４５には、ロック部材４２、トーションバネ４３、ワッシャー４６の順で組み付けられた後に、支軸４５に設けられた溝４５ａにｅリング４７が嵌め込まれることによって、上記各部材がベース部材４０に固定される。
【００４５】
次に、第２上部軸受け１６及び第３上部軸受け３２について説明するが、第２上部軸受け１６は第１上部軸受け１５と同様の部材（ロック部材４２、トーションバネ４３、支軸４５、ワッシャー４６など）を用いて同様の構成によって第２上部軸３０ｂを保持し、第３上部軸受け３２は第１上部軸受け１５と同様の部材を用いて同様の構成によって第３上部軸３１ａを保持するため、第２上部軸３０ｂ及び第３上部軸３１ａを保持するための構成及び同一の部材については、第１上部軸受け１５と同一の符号を用いて詳しい説明は省略し、第１上部軸受け１５との相違点（ベース部材４０及び軸受け部材４１）について説明する。
【００４６】
外枠１１の内壁のうちの下面で、正面から向かって左方の角部には、上方に向けて突出した第１下部軸１１ａが設けられ、本体基部１２の下面で、正面から向かって左方の角部には、第１下部軸取り付け孔１２ｅが形成されている。外枠１１に本体基部１２を取り付ける際には、第１下部軸取り付け孔１２ｅには第１下部軸１１ａが挿入される。これにより、本体基部１２は、第１上部軸１６ａと第１下部軸１１ａとによって、外枠１１に回動自在で、かつ着脱自在に軸支される。このように、第１上部軸１６ａ、第１上部軸受け１５、第１下部軸１１ａ、第１下部軸取り付け孔１２ｅは第１軸支機構を構成する。
【００４７】
図１１に示すように、第１上部軸１６ａの上方側の端部には、挿入部１６ｂが形成されている。挿入部１６ｂは、円柱形状でその先端が半球状に形成されている。挿入部１６ｂは、第２上部軸受け１６に取り付けられた軸受け部材４１の受け部４１ａに挿入される。
【００４８】
第１上部軸１６ａの下方側の端部には、位置決め部１６ｃが形成されている。位置決め部１６ｃは挿入部１６ｂよりも一回り細い円柱形状に形成されている。また、第１上部軸１６ａの挿入部１６ｂと位置決め部１６ｃの境目となる部分には、円盤状のフランジ１６ｄが設けられている。第１上部軸１６ａは、位置決め部１６ｃが第２上部軸受け１６のベース部材５０に形成された孔５０ａを貫通するように挿通されて第２上部軸受け１６に取り付けられる。位置決め部１６ｃが取り付けられると、フランジ１６ｄが第２上部軸受け１６の上面１６ｅに接し、位置決め部１６ｃはベース部材５０の下面側に突出する。ベース部材５０は位置決め部１６ｃが挿通される孔５０ａが形成されている部分以外はベース部材４０と同様の構成となっている。
【００４９】
ベース部材５０の下面には、軸受け部材５２が取り付けられている。軸受け部材５２には、軸受け部材４１の受け部４１ａと同様の形状に形成された受け部５２ａが形成されている。受け部５２ａを取り囲む壁面には、内側に向けて突出した板状の係止部５２ｂが形成されている。軸受け部材５２は、係止部５２ｂで位置決め部１６ｃを狭持するように係止部５２ｂに係止させて位置決めしてから係止部５２ｂをカシメ加工することによってベース部材５０に取り付けられる。なお、カシメ加工の方法は例えば熱溶着など適宜の方法にすることが好ましい。これにより、第１上部軸１６ａが第１上部軸受け１５で保持され、第２上部軸３０ｂが第２上部軸受け１６の軸受け部材５２で保持されると、第１上部軸１６ａと第２上部軸３０ｂとの軸芯が軸方向で同一の位置となる。軸受け部材５２の受け部５２ａには、第２上部軸３０ｂの軸方向と直交する方向（図６に示す矢印Ｘ方向）に支持部材３０を本体基部１２に向けて移動させたときに、挿入部３０ｃが挿入される。なお、軸受け部材５２は係止部５２ｂ以外の部分は軸受け部材４１と同様の構成であるので詳しい説明は省略する。
【００５０】
第３上部軸受け３２は、板をＬ字形に折り曲げたベース部材５３を備えている。ベース部材５３の取付部５３ａと軸保持部５３ｂとに区画されている。取付部５３ａは、支持部材３０の背面に取り付けられ、これにより、第３上部軸受け３２は支持部材３０の上面の角部に配置される。ベース部材５３の軸保持部５３ｂの下面側には、第２上部軸受け１６と同様に第３上部軸３１ａを保持するための部材（軸受け部材５２、ロック部材４２、トーションバネ４３、支軸４５、ワッシャー４６など）が取り付けられている。第３上部軸３１ａは、窓部３１の上面で正面から向かって左方の角部に、上方に向けて突出するように設けられている。
【００５１】
第２上部軸３０ｂは、第１上部軸１６ａと同形状、同様の構成の挿入部３０ｃ、位置決め部３０ｄ、フランジ３０ｅを備えており、第１上部軸１６ａと同様にベース部材５３に取り付けられる。また、軸受け部材５２も同様に、係止部５２ｂを位置決め部３０ｄに係止させて位置決めしてから係止部５２ｂをカシメ加工することによってベース部材５３に取り付けられる。なお、カシメ加工の方法は例えば熱溶着など適宜の方法にすることが好ましい。これにより、第２上部軸３０ｂが第２上部軸受け１６で保持され、第３上部軸３１ａが第３上部軸受け３２の軸受け部材５２で保持されると、第２上部軸３０ｂと第３上部軸３１ａとの軸芯が軸方向で同一の位置になる。ベース部材５３に設けられた軸受け部材５２の受け部５２ａには、第３上部軸３１ａの軸方向と直交する方向（図６に示す矢印Ｘ方向）に窓部３１を支持部材３０に向けて移動させたときに、第３上部軸３１ａの先端部が挿入される。
【００５２】
また、支持部材３０の下面には下方に突出した第２下部軸３１ｂが形成され、本体基部１２の支持部材３０が収納される部分の内壁の下面には、第２下部軸取り付け孔１２ｆが形成されている。本体基部１２に支持部材３０を取り付ける際には、第２下部軸取り付け孔１２ｆには第２下部軸３１ｂが挿入される。これにより、支持部材３０は本体基部１２に、第２上部軸３０ｂと第２下部軸３１ｂとによって回動自在で、かつ着脱自在に軸支される。このように、第２上部軸３０ｂ、第２上部軸受け１６、第２下部軸３１ｂ、第２下部軸取り付け孔１２ｆは第２軸支機構を構成する。
【００５３】
窓部３１を支持部材３０に取り付ける際に、第３上部軸３１ａは、第３上部軸受け３２に設けられた軸受け部材５２で保持される。また、窓部３１の下面には、第３下部軸取り付け孔３１ｃが形成されている。窓部３１を支持部材３０に取り付ける際には、第３下部軸取り付け孔３１ｃに第３下部軸３０ａが挿入される。これにより、窓部３１は支持部材３０に、第３上部軸３１ａと第３下部軸３０ａとによって回動自在で、かつ着脱自在に軸支される。このように、第３上部軸３１ａ、第３上部軸受け３２、第３下部軸３０ａ、第３下部軸取り付け孔３１ｃは第３軸支機構を構成する。
【００５４】
結果的に、パチンコ機１０が組み立てられると、第１上部軸１６ａ、第２上部軸３０ｂ、第３上部軸３１ａ、第１下部軸１１ａ、第２下部軸３１ｂ、第３下部軸３０ａの軸芯が軸方向で同一となるように各軸が配置される。
【００５５】
次に、上記のように構成されたパチンコ機１０の作用について説明する。例えば機種の入れ替えや破損や故障などによるメンテナンスの作業を行う場合に、図１２に示すように、ガラス枠ユニット１４を本体基部１２から取り外すには、先ず、上下の第１固定部材３５をそれぞれ固定位置から取り外し位置に移動操作してセットし、支持部材３０の軸側とは反対側の端部を本体基部１２から回動させる（図５に示す状態）。そして、窓部３１を支持部材３０に対して閉じた状態とするとともに、第２固定部材３７を取り外し位置から固定位置にセットして支持部材３０と窓部３１とを固定し、一体化させる。この後、遊技盤１３を支持した状態の支持部材３０と窓部３１とが一体となったガラス枠ユニット１４を上方向に持ち上げて第２下部軸３１ｂを第２下部軸取り付け孔１２ｆから引き抜く。なお、第２上部軸３０ｂが第２上部軸受け１６のベース部材５０に当接して、ガラス枠ユニット１４を持ち上げることが不可能となることのないように、第２上部軸３０ｂとベース部材５０との間にはガラス枠ユニット１４を持ち上げて第２下部軸３１ｂを第２下部軸取り付け孔１２ｆから引き抜くことが可能となる距離が設定されている。第２下部軸３１ｂの引き抜き後に、ガラス枠ユニット１４を第２上部軸３０ｂを支点に前方に傾けるとともに下方向に移動させて押し下げることで、第２上部軸３０ｂを第２上部軸受け１６に設けられている軸受け部材５２の受け部５２ａから引き抜く。これにより、ガラス枠ユニット１４の取り外しが完了する。
【００５６】
また、例えば機種交換の際などに取り外したガラス枠ユニット１４とは異なる新たなガラス枠ユニット１４を本体基部１２に取り付ける場合には、先ず、第２下部軸３１ｂを第２下部軸取り付け孔１２ｆに挿入し、第２下部軸３１ｂの挿入後に該挿入部を軸にガラス枠ユニット１４を図６に示す矢印Ｘ方向に移動させる。
【００５７】
ガラス枠ユニット１４を図６に示す矢印Ｘ方向に移動させると、図９に示すように、第２上部軸３０ｂがベース部材５０に組み付けられたロック部材４２に当接し、第２上部軸３０ｂは、ロック部材４２の摺接面４２ｅに沿って移動する。そして、第２上部軸３０ｂが図９中二点鎖線まで移動すると、ロック部材４２がトーションバネ４３の付勢に抗して図中時計方向に回転する。
【００５８】
図１０に示すように、ロック部材４２の回転によって、ロック部材４２と軸受け部材５２との間に挿入経路４４が形成され、この挿入経路４４の一端と軸受け部材５２の挿入口５２ｃとが連通される。
【００５９】
そして、図８に示すように、第２上部軸３０ｂは挿入経路４４に沿って移動し、第２上部軸３０ｂが軸受け部材５２の挿入口５２ｃから受け部５２ａに挿入される。第２上部軸３０ｂが軸受け部材５２の受け部５２ａに挿入されると、ロック部材４２がトーションバネ４３の付勢によって図中反時計方向に回転する。そして、ロック部材４２のストッパ面４２ｄは軸受け部材５２の側壁面５２ｄに当接し、前述した閉塞位置でロック部材４２が停止する。これにより、ロック部材４２の摺接面４２ｅと軸受け部材５２の側壁面５２ｅとによって形成された挿入経路４４が無くなり、挿入口５２ｃがロック部材４２の側壁面４２ｆによって閉塞されて、第２上部軸３０ｂがロック部材４２の側壁面４２ｆと、軸受け部材５２の受け部５２ａの側壁面によって軸支される。これにより、ガラス枠ユニット１４の本体基部１２への取り付けが完了する。
【００６０】
また、窓部３１を支持部材３０から取り外すには、第３下部軸３０ａから第３下部軸取り付け孔３１ｃが引き抜かれるように、窓部３１を上方向に持ち上げる。そして、第３下部軸３０ａから第３下部軸取り付け孔３１ｃが引き抜かれた状態で、窓部３１の下部を前面側に傾けながら窓部３１を下方向に押し下げて、第３上部軸３１ａを第３上部軸受け３２に設けられている軸受け部材５２の受け部５２ａから引き抜く。これにより、窓部３１の支持部材３０からの取り外しが完了する。なお、第３上部軸３１ａが第３上部軸受け３２のベース部材５３に当接して、窓部３１を持ち上げることが不可能となることのないように、第３上部軸３１ａとベース部材５３との間には窓部３１を持ち上げて第３下部軸３０ａを第３下部軸取り付け孔３１ｃから引き抜くことが可能となる距離が設けられている。
【００６１】
遊技盤１３を支持していない状態の支持部材３０に窓部３１を取り付ける場合には、先ず、第３下部軸取り付け孔３１ｃに第３下部軸３０ａが挿入されるように、窓部３１の上部を前面側に傾けながら下方向に押し下げる。そして、第３下部軸取り付け孔３１ｃに第３下部軸３０ａが挿入された状態で、該挿入部を軸に窓部３１の上部が後面側に傾くように図６に示す矢印Ｘ方向に窓部３１を移動させて第３上部軸３１ａを第３上部軸受け３２に設けられている軸受け部材５２の受け部５２ａ内に前述した第２上部軸３０ｂと同様に図８〜図１０に示すように挿入する。これにより、窓部３１の支持部材３０への取り付けが完了する。
【００６２】
また、本体基部１２を外枠１１から取り外すには、第１下部軸１１ａから第１下部軸取り付け孔１２ｅが引き抜かれるように、本体基部１２を上方向に持ち上げる。第１下部軸１１ａから第１下部軸取り付け孔１２ｅが引き抜かれた後、本体基部１２の下部を前面側に傾けながら本体基部１２を下方向に押し下げて、第１上部軸１６ａを第１上部軸受け１５に設けられている軸受け部材４１の受け部４１ａから引き抜く。これにより、本体基部１２の外枠１１からの取り外しが完了する。なお、第１上部軸１６ａが第１上部軸受け１５のベース部材４０に当接して、本体基部１２を持ち上げることが不可能となることのないように、第１上部軸１６ａとベース部材４０との間には本体基部１２を持ち上げて第１下部軸１１ａから第１下部軸取り付け孔１２ｅを引き抜くことが可能となる距離が設けられている。
【００６３】
外枠１１に本体基部１２を取り付ける場合には、先ず、第１下部軸取り付け孔１２ｅに第１下部軸１１ａが挿入されるように、本体基部１２の上部を前面側に傾けながら下方向に押し下げる。第１下部軸取り付け孔１２ｅに第１下部軸１１ａが挿入された状態で、該挿入部を軸に本体基部１２の上部が後面側に傾くように図６に示す矢印Ｘ方向に本体基部１２を変位させて第１上部軸１６ａを第１上部軸受け１５に設けられている軸受け部材４１の受け部４１ａ内に前述した第２上部軸３０ｂと同様に図８〜図１０に示すように挿入する。これにより、本体基部１２の外枠１１への取り付けが完了する。
【００６４】
上記実施形態では、交換する部材に第１〜第３上部軸を設け、据え置きする部材に第１〜第３軸受けを設けたが、交換する部材に軸受けを設け、据え置きする部材に軸を設けてもよく、この場合、交換する部材を軸方向と直交する方向に移動させて軸を取り付けることが可能な機構（例えば上記実施形態の第１軸受け１５で第１上部軸１６ａを保持する機構）を、上側及び下側の両側に一体とした軸受けを第２上部軸受け及び第３上部軸受けとして用いてもよいし、該軸受けを上側又は下側のいずれか一方にのみ設け、他方側は単に突出した軸を孔に嵌め込むようにしてもよい。いずれの場合も、各軸の軸芯は同一となるようにすることが好ましい。
【図面の簡単な説明】
【００６５】
【図１】本発明のパチンコ機の外観を示す斜視図である。
【図２】本体基部を回動させた状態を示す斜視図である。
【図３】窓部を回動させた状態を示す斜視図である。
【図４】窓部を取り外した状態を示す斜視図である。
【図５】ガラス枠ユニットを回動させた状態を示す斜視図である。
【図６】第１上部軸受けに第２上部軸受け及び第２上部軸受けに第３上部軸受けを連結する際の状態を示す斜視図である。
【図７】第１上部軸受けの分解図である。
【図８】第１上部軸が第１上部軸受け及び第２上部軸が第２軸受けで軸支された状態を示す下方からの正面図である。
【図９】第１上部軸受けに第２上部軸受けを連結する際の第１上部軸受けの状態及び第２上部軸受けに第３上部軸受けを連結する際の第２上部軸受けの状態を示す下方から正面図である。
【図１０】第１上部軸受けに第２上部軸受けを連結する途中の第１上部軸受けの状態及び第２上部軸受けに第３上部軸受けを連結する途中の第２上部軸受けの状態を示す下方からの正面図である。
【図１１】パチンコ機を組み立てた状態での各軸の配置を示す断面図である。
【図１２】ガラス枠ユニットを本体基部から取り外した状態を示す斜視図である。
【符号の説明】
【００６６】
１０  パチンコ機
１１  外枠
１１ａ  第１下部軸
１２  本体基部
１２ｅ  第１下部軸取り付け孔
１２ｆ  第２下部軸取り付け孔
１３  遊技盤
１４  ガラス枠ユニット
１５  第１上部軸受け
１６  第２上部軸受け
１６ａ  第１上部軸
３０  支持部材
３０ａ  第３下部軸
３０ｂ  第２上部軸
３１  窓部
３１ａ  第３上部軸
３１ｂ  第２下部軸
３１ｃ  第３下部軸取り付け孔
３２  第３上部軸受け
【図１】
2005205092.tif 000003
【図２】
2005205092.tif 000004
【図３】
2005205092.tif 000005
【図４】
2005205092.tif 000006
【図５】
2005205092.tif 000007
【図６】
2005205092.tif 000008
【図７】
2005205092.tif 000009
【図８】
2005205092.tif 000010
【図９】
2005205092.tif 000011
【図１０】
2005205092.tif 000012
【図１１】
2005205092.tif 000013
【図１２】
2005205092.tif 000014